(57)【要約】【課題】  静電塗装用エアスプレーガンの種類に応じた最適な設定を自動的に行う静電塗装用エアスプレーガン、静電塗装システムおよび静電塗装方法を提供する。【解決手段】  外部装置２から与えられるエアに静電支援を行って塗料を噴霧する静電塗装用エアスプレーガン１であって、外部装置と通信を行う通信部１７と、記憶領域に格納した種類情報を読み出して通信部を介して外部装置に供給する制御部１１と、外部装置から与えられる制御信号に基づいて電荷量を昇圧し、昇圧した電荷を荷電電極を介してエアに与える昇圧部１２をもつ静電塗装用エアスプレーガン。【選択図】図１
2014018712.tif 000002
【特許請求の範囲】
【請求項１】
外部装置から与えられるエアに静電支援を行って塗料を噴霧する静電塗装用エアスプレーガンであって、
前記外部装置と通信を行う通信部と、
記憶領域に格納した種類情報を読み出して前記通信部を介して前記外部装置に供給する制御部と、
前記外部装置から与えられる制御信号に基づいて電荷量を昇圧し、昇圧した電荷を荷電電極を介して前記エアに与える昇圧部と、
を具備することを特徴とする静電塗装用エアスプレーガン。
【請求項２】
前記エアに電荷を与えることにより、前記荷電電極から接地電位へと流れる戻り電流の電流値を画面に表示する表示部をさらに有することを特徴とする請求項１記載の静電塗装用エアスプレーガン。
【請求項３】
前記通信部を介して前記外部装置から与えられる信号に基づいて、前記エアに与える電荷の電圧値を表示する表示部をさらに有することを特徴とする請求項１記載の静電塗装用エアスプレーガン。
【請求項４】
前記エアに与える電荷の電圧値を設定するための設定スイッチを筐体にさらに有することを特徴とする請求項１記載の静電塗装用エアスプレーガン。
【請求項５】
前記外部装置からの静電支援の制御信号を停止させるためのスイッチを筐体にさらに有することを特徴とする請求項１記載の静電塗装用エアスプレーガン。
【請求項６】
前記制御部は、前記通信部を介して前記外部装置と情報を交換することにより、前記荷電電極から接地電位へと流れる戻り電流の電流値および前記エアに与える電荷の値について、前記外部装置との間で設定が同期することを特徴とする請求項１記載の静電塗装用エアスプレーガン。
【請求項７】
前記制御部は、塗装の対象物に添付した記憶媒体から第２の種類情報を読み出し、前記通信部を介して前記外部装置に供給することを特徴とする請求項１記載の静電塗装用エアスプレーガン。
【請求項８】
制御装置と、前記制御装置からエアの供給および静電荷の制御を受けることでエアに静電支援を行って塗料を噴霧する静電塗装用エアスプレーガンを有する静電塗装システムであって、
前記静電塗装用エアスプレーガンは、
前記制御装置と通信を行う第１通信部と、
記憶領域に格納されている種類情報を読み出して前記第１通信部を介して前記制御装置に供給する第１制御部を具備しており、
前記制御装置は、
前記静電塗装用エアスプレーガンと通信を行う第２通信部と、
前記第２通信部を介して前記静電塗装用エアスプレーガンの前記種類情報を取得し、この種類情報に基づき前記静電塗装用エアスプレーガンの静電荷の制御を行う第２制御部を具備することを特徴とする静電塗装システム。
【請求項９】
前記制御装置の前記第２制御部は、前記制御装置での第１エア圧力を取得し、前記静電塗装用エアスプレーガンの種類情報および前記静電塗装用エアスプレーガンでの第２エア圧力を前記第１通信部および第２通信部を介して取得し、これらの値に基づいて生成した制御信号を、エアの供給を当該制御装置に行っている外部のエア供給源に供給することで、エア圧力を制御することを特徴とする請求項８記載の静電塗装システム。
【請求項１０】
前記制御装置の前記第２制御部は、前記静電塗装用エアスプレーガンから接地電位へと流れる戻り電流を検出し、この電流値に基づく制御情報を前記第１通信部および第２通信部を介して前記静電塗装用エアスプレーガンの前記第１制御部に供給することを特徴とし、
前記静電塗装用エアスプレーガンは、前記第１制御部に与えられた前記制御情報に基づいて、前記荷電電極から接地電位へと流れる戻り電流の電流値を画面に表示する表示部をさらに有することを特徴とする請求項８記載の静電塗装システム。
【請求項１１】
前記制御装置の前記第２制御部は、前記エアに与える電荷の電圧値に応じた制御情報を前記第１通信部および第２通信部を介して前記静電塗装用エアスプレーガンの前記第１制御部に供給することを特徴とし、
前記静電塗装用エアスプレーガンは、前記第１制御部に与えられた前記制御情報に応じた電圧値を表示する表示部をさらに有することを特徴とする請求項８記載の静電塗装システム。
【請求項１２】
前記静電塗装用エアスプレーガンは、前記エアに与える電荷の電圧値を設定するための設定スイッチを筐体にさらに有しており、
前記第１制御部は、前記設定スイッチからの操作信号を前記第１通信部および前記第２通信部を介して、前記制御装置の第２制御部に供給し、
前記制御装置の第２制御部は、前記設定スイッチからの操作信号に基づいて、前記昇圧部に供給するための制御信号を出力することを特徴とする請求項８記載の静電塗装システム。
【請求項１３】
前記静電塗装用エアスプレーガンは、前記静電支援を停止させるためのスイッチを筐体にさらに有しており、
前記制御装置の第２制御部は、前記スイッチからの操作信号を受けると当該操作信号に基づいて、前記静電塗装用エアスプレーガンの前記電荷を前記エアに与えるために前記昇圧部に供給するための制御信号を停止することを特徴とする請求項８記載の静電塗装システム。
【請求項１４】
前記第１制御部および前記第２制御部は、前記第１通信部および前記第２通信部を介して相互に情報を交換することにより、前記荷電電極から接地電位へと流れる戻り電流の電流値および前記エアに与える電荷の電圧値について、前記静電塗装用エアスプレーガンおよび前記制御装置との間で設定が同期することを特徴とする請求項８記載の静電塗装システム。
【請求項１５】
前記静電塗装用エアスプレーガンは、塗装の対象物に添付した記憶媒体から第２の種類情報を読み出す検出部をさらに有しており、
前記第１制御部は、前記検出部を介して前記第２の種類情報を読み出し、前記第１通信部および前記第２通信部を介して前記制御装置の第２制御部に供給することを特徴とし、
前記制御装置の前記第２制御部は、前記第１の種類情報および当該第２の種類情報に基づき前記静電塗装用エアスプレーガンの静電荷の制御を行うことを特徴とする請求項８記載の静電塗装システム。
【請求項１６】
制御装置と、前記制御装置からエアの供給および静電荷の制御を受けることでエアに静電支援を行って塗料を噴霧する静電塗装用エアスプレーガンを有する静電塗装システムを用いた静電塗装方法であって、
前記静電塗装用エアスプレーガンにおいて、記憶領域に格納されている種類情報を読み出して前記制御装置に供給し、
前記制御装置において、前記静電塗装用エアスプレーガンから取得した種類情報に基づき前記静電塗装用エアスプレーガンの静電荷の制御を行うことを特徴とする静電塗装方法。
【請求項１７】
前記制御装置において、前記検出した戻り電流に基づく制御情報を前記静電塗装用エアスプレーガンに供給し、
前記静電塗装用エアスプレーガンにおいて、前記供給された制御情報に応じた電流値を筐体に設けた表示部に表示することを特徴とする請求項１６記載の静電塗装方法。
【請求項１８】
前記制御装置において、前記エアに与える電荷の電圧値に応じた制御情報を前記静電塗装用エアスプレーガンに供給し、
前記静電塗装用エアスプレーガンにおいて、前記供給された制御情報に応じた電圧値を表示部に表示することを特徴とする請求項１６記載の静電塗装方法。
【請求項１９】
前記制御装置において、前記静電塗装用エアスプレーガンの筐体に設けられた設定スイッチから供給される操作信号を前記静電塗装用エアスプレーガンに供給し、
前記静電塗装用エアスプレーガンにおいて、前記操作信号に基づいて電荷を前記エアに与えることを特徴とする請求項１６記載の静電塗装方法。
【請求項２０】
前記制御装置において、前記静電塗装用エアスプレーガンの筐体に設けられた前記静電支援を停止させるためのスイッチからの操作信号を供給され、この操作信号に基づいて前記静電塗装用エアスプレーガンの前記電荷を前記エアに与えるための制御信号の出力を停止することを特徴とする請求項１６記載の静電塗装方法。
【発明の詳細な説明】
【技術分野】
【０００１】
本発明は、車両等に静電支援を伴って塗装を行う静電塗装用エアスプレーガンに関し、特に、制御装置との間で通信を行う静電塗装用エアスプレーガン、静電塗装システムおよび静電塗装方法に関する。
【背景技術】
【０００２】
従来から、外部の制御装置により制御されている静電塗装用エアスプレーガンが知られている。このような静電塗装用エアスプレーガンにおいては、制御装置の操作部を操作することにより、例えば、静電気の電荷量を制御したり、エアの量を制御したりする。このとき、オペレータは、静電塗装用エアスプレーガンを操作しながら塗装しているので、できれば、各操作情報は外部の制御装置ではなく、静電塗装用エアスプレーガンの表示部に表示されている方が操作し易いし、各設定も静電塗装用エアスプレーガンの側から行える方が都合がよいと言える。
【０００３】
特許文献１は、外部の制御装置に接続されて制御され、特定のパラメータを本体の表示部に表示する機能を開示している。
【先行技術文献】
【特許文献】
【０００４】
【特許文献１】特開２００９−１３６８６０号公報。
【発明の概要】
【発明が解決しようとする課題】
【０００５】
しかし、静電塗装用エアスプレーガンは、１種類だけではなく複数種類が用意されており、これらを車両の車種や塗装目的に合わせて適宜切り替えて使用される。このような場合、オペレータは、塗装目的に合わせてその都度、制御装置の各種の設定を行わなければならない。
【０００６】
特許文献１の従来技術は、複数の静電塗装用エアスプレーガンの種類を制御装置の方で自動的に認識することはできず、この種類情報に応じて、最適なエア制御や静電制御を自動的に行うことは開示されていない。
【０００７】
本発明は、静電塗装用エアスプレーガンの種類に応じた最適な設定を自動的に行う静電塗装用エアスプレーガン、静電塗装システムおよび静電塗装方法を提供することを目的とする。
【課題を解決するための手段】
【０００８】
課題を解決するための請求項１記載の発明は、外部装置から与えられるエアに静電支援を行って塗料を噴霧する静電塗装用エアスプレーガンであって、前記外部装置と通信を行う通信部と、記憶領域に格納した種類情報を読み出して前記通信部を介して前記外部装置に供給する制御部と、前記外部装置から与えられる制御信号に基づいて電荷量を昇圧し、昇圧した電荷を荷電電極を介して前記エアに与える昇圧部を具備することを特徴とする静電塗装用エアスプレーガンである。
【０００９】
請求項２記載の発明は、前記エアに電荷を与えることにより、前記荷電電極から接地電位へと流れる戻り電流の電流値を画面に表示する表示部をさらに有することを特徴とする請求項１記載の静電塗装用エアスプレーガンである。
【００１０】
請求項３記載の発明は、前記通信部を介して前記外部装置から与えられる信号に基づいて、前記エアに与える電荷の電圧値を表示する表示部をさらに有することを特徴とする請求項１記載の静電塗装用エアスプレーガンである。
【００１１】
請求項４記載の発明は、前記エアに与える電荷の電圧値を設定するための設定スイッチを筐体にさらに有することを特徴とする請求項１記載の静電塗装用エアスプレーガンである。
【００１２】
請求項５記載の発明は、前記外部装置からの静電支援の制御信号を停止させるためのスイッチを筐体にさらに有することを特徴とする請求項１記載の静電塗装用エアスプレーガンである。
【００１３】
請求項６記載の発明は、前記制御部は、前記通信部を介して前記外部装置と情報を交換することにより、前記荷電電極から接地電位へと流れる戻り電流の電流値および前記エアに与える電荷の値について、前記外部装置との間で設定が同期することを特徴とする請求項１記載の静電塗装用エアスプレーガンである。
【００１４】
請求項７記載の発明は、前記制御部は、塗装の対象物に添付した記憶媒体から第２の種類情報を読み出し、前記通信部を介して前記外部装置に供給することを特徴とする請求項１記載の静電塗装用エアスプレーガンである。
【００１５】
請求項８記載の発明は、制御装置と、前記制御装置からエアの供給および静電荷の制御を受けることでエアに静電支援を行って塗料を噴霧する静電塗装用エアスプレーガンを有する静電塗装システムであって、前記静電塗装用エアスプレーガンは、前記制御装置と通信を行う第１通信部と、記憶領域に格納されている種類情報を読み出して前記第１通信部を介して前記制御装置に供給する第１制御部を具備しており、
前記制御装置は、前記静電塗装用エアスプレーガンと通信を行う第２通信部と、前記第２通信部を介して前記静電塗装用エアスプレーガンの前記種類情報を取得し、この種類情報に基づき前記静電塗装用エアスプレーガンの静電荷の制御を行う第２制御部を具備することを特徴とする静電塗装システムである。
【００１６】
請求項９記載の発明は、前記制御装置の前記第２制御部は、前記制御装置での第１エア圧力を取得し、前記静電塗装用エアスプレーガンの種類情報および前記静電塗装用エアスプレーガンでの第２エア圧力を前記第１通信部および第２通信部を介して取得し、これらの値に基づいて生成した制御信号を、エアの供給を当該制御装置に行っている外部のエア供給源に供給することで、エア圧力を制御することを特徴とする請求項８記載の静電塗装システムである。
【００１７】
請求項１０記載の発明は、前記制御装置の前記第２制御部は、前記静電塗装用エアスプレーガンから接地電位へと流れる戻り電流を検出し、この電流値に基づく制御情報を前記第１通信部および第２通信部を介して前記静電塗装用エアスプレーガンの前記第１制御部に供給することを特徴とし、前記静電塗装用エアスプレーガンは、前記第１制御部に与えられた前記制御情報に基づいて、前記荷電電極から接地電位へと流れる戻り電流の電流値を画面に表示する表示部をさらに有することを特徴とする請求項８記載の静電塗装システムである。
【００１８】
請求項１１記載の発明は、前記制御装置の前記第２制御部は、前記エアに与える電荷の電圧値に応じた制御情報を前記第１通信部および第２通信部を介して前記静電塗装用エアスプレーガンの前記第１制御部に供給することを特徴とし、前記静電塗装用エアスプレーガンは、前記第１制御部に与えられた前記制御情報に応じた電圧値を表示する表示部をさらに有することを特徴とする請求項８記載の静電塗装システムである。
【００１９】
請求項１２記載の発明は、前記静電塗装用エアスプレーガンは、前記エアに与える電荷の電圧値を設定するための設定スイッチを筐体にさらに有しており、前記第１制御部は、前記設定スイッチからの操作信号を前記第１通信部および前記第２通信部を介して、前記制御装置の第２制御部に供給し、前記制御装置の第２制御部は、前記設定スイッチからの操作信号に基づいて、前記昇圧部に供給するための制御信号を出力することを特徴とする請求項８記載の静電塗装システムである。
【００２０】
請求項１３記載の発明は、前記静電塗装用エアスプレーガンは、前記静電支援を停止させるためのスイッチを筐体にさらに有しており、
前記制御装置の第２制御部は、前記スイッチからの操作信号を受けると当該操作信号に基づいて、前記静電塗装用エアスプレーガンの前記電荷を前記エアに与えるために前記昇圧部に供給するための制御信号を停止することを特徴とする請求項８記載の静電塗装システムである。
【００２１】
請求項１４記載の発明は、前記第１制御部および前記第２制御部は、前記第１通信部および前記第２通信部を介して相互に情報を交換することにより、前記荷電電極から接地電位へと流れる戻り電流の電流値および前記エアに与える電荷の電圧値について、前記静電塗装用エアスプレーガンおよび前記制御装置との間で設定が同期することを特徴とする請求項８記載の静電塗装システムである。
【００２２】
請求項１５記載の発明は、前記静電塗装用エアスプレーガンは、塗装の対象物に添付した記憶媒体から第２の種類情報を読み出す検出部をさらに有しており、前記第２制御部は、前記検出部を介して前記第２の種類情報を読み出し、前記第１通信部および前記第２通信部を介して前記制御装置の第１制御部に供給することを特徴とし、前記制御装置の前記第１制御部は、前記第１の種類情報および当該第２の種類情報に基づき前記静電塗装用エアスプレーガンの静電荷の制御を行うことを特徴とする請求項８記載の静電塗装システムである。
【００２３】
請求項１６記載の発明は、制御装置と、前記制御装置からエアの供給および静電荷の制御を受けることでエアに静電支援を行って塗料を噴霧する静電塗装用エアスプレーガンを有する静電塗装システムを用いた静電塗装方法であって、前記静電塗装用エアスプレーガンにおいて、記憶領域に格納されている種類情報を読み出して前記制御装置に供給し、前記制御装置において、前記静電塗装用エアスプレーガンから取得した種類情報に基づき前記静電塗装用エアスプレーガンの静電荷の制御を行うことを特徴とする静電塗装方法である。
【００２４】
請求項１７記載の発明は、前記制御装置において、前記検出した戻り電流に基づく制御情報を前記静電塗装用エアスプレーガンに供給し、前記静電塗装用エアスプレーガンにおいて、前記供給された制御情報に応じた電流値を筐体に設けた表示部に表示することを特徴とする請求項１６記載の静電塗装方法である。
【００２５】
請求項１８記載の発明は、前記制御装置において、前記エアに与える電荷の電圧値に応じた制御情報を前記静電塗装用エアスプレーガンに供給し、前記静電塗装用エアスプレーガンにおいて、前記供給された制御情報に応じた電圧値を表示部に表示することを特徴とする請求項１６記載の静電塗装方法である。
【００２６】
請求項１９記載の発明は、前記制御装置において、前記静電塗装用エアスプレーガンの筐体に設けられた設定スイッチから供給される操作信号を前記静電塗装用エアスプレーガンに供給し、前記静電塗装用エアスプレーガンにおいて、前記操作信号に基づいて電荷を前記エアに与えることを特徴とする請求項１６記載の静電塗装方法である。
【００２７】
請求項２０記載の発明は、前記制御装置において、前記静電塗装用エアスプレーガンの筐体に設けられた前記静電支援を停止させるためのスイッチからの操作信号を供給され、この操作信号に基づいて前記静電塗装用エアスプレーガンの前記電荷を前記エアに与えるための制御信号の出力を停止することを特徴とする請求項１６記載の静電塗装方法である。
【発明の効果】
【００２８】
静電塗装用エアスプレーガンの種類に応じた設定を自動的に制御装置の側で行うことができる静電塗装用エアスプレーガンを提供する。
【図面の簡単な説明】
【００２９】
【図１】本発明の一実施形態に係る静電塗装システムの構成の一例を示す概念図。
【図２】本発明の一実施形態に係る静電塗装システムの構成の一例を示す見取図。
【図３】本発明の一実施形態に係る静電塗装用エアスプレーガンを示す斜視図。
【図４】本発明の一実施形態に係る静電塗装用エアスプレーガンの表示操作部の一例を示す図面であり、（ａ）は斜視図、（ｂ）は正面図である。
【図５】本発明の一実施形態に係る静電塗装用エアスプレーガンを示す断面図。
【図６】本発明の一実施形態に係る制御装置の一例を示す正面図。
【図７】本発明の一実施形態に係る静電塗装システムの動作を示すフローチャート。
【発明を実施するための形態】
【００３０】
以下、この発明の実施の形態について図面を参照して詳細に説明する。  
図１は、本発明の一実施形態に係る静電塗装システムの構成の一例を示す概念図、図２は、同じく静電塗装システムの構成の一例を示す見取図、図３は、同じく静電塗装用エアスプレーガンを示す斜視図、図４は、同じく静電塗装用エアスプレーガンの表示操作部の一例を示す図面であり、（ａ）は斜視図、（ｂ）は正面図、図５は、同じく静電塗装用エアスプレーガンを示す断面図、図６は、同じく制御装置の一例を示す正面図である。
【００３１】
はじめに、図１および図２を用いて、本発明の一実施形態に係る静電塗装システムの構成を説明する。静電塗装システムは、塗料容器５を伴う静電塗装用エアスプレーガン１と、静電塗装用エアスプレーガン１のエア圧および静電支援の電荷量を制御するための制御装置２と、制御装置２に動作を制御されるエア供給源であるコンプレッサー３と、コンプレッサー３からのエア量を制御する電空バルブ４を有している。この静電塗装システムにより、車種情報を格納するＩＣチップ６を伴った車両Ｃ等を対象にして、静電支援を行うことで塗装する。
【００３２】
このような静電塗装用エアスプレーガン１を、さらに、図１乃至図５を用いて説明する。静電塗装用エアスプレーガン１は、塗料取入口４７に塗料容器５が接続され、空気取入口４５にエアチューブ７の一端が接続され他端が制御装置２のエア出力部６６に接続される。また、通信線接続部４６に制御装置２との間の配線Ｌ１，Ｌ２，Ｌ３が接続される。また、静電塗装用エアスプレーガン１は、トリガー４３を有しており、トリガー４３を操作することでエアが塗料を伴って噴霧する。
【００３３】
また、このような静電塗装用エアスプレーガン１は、パネル部Ｐにおいて、図４に示すように、静電支援を行っているかどうかを表示する電荷ランプ３１と、荷電電極４２から接地電位へと流れる戻り電流の電流値を例えば三段階で表示する電流値用ＬＥＤ３２と、荷電電極４２によりエアに帯電させる際の電圧値（一例として、８５０００Ｖ，６００００Ｖ，４００００Ｖ，３００００Ｖ，２００００Ｖ等）を表示する電圧値用ＬＥＤ３３と、任意の操作情報を表示する液晶画面等のディスプレイ３５を有している。さらに、静電塗装用エアスプレーガン１は、この電荷の電圧値を設定するための電荷設定スイッチ用の操作スイッチ１４と、荷電電極４２からの静電支援を停止するための電荷スイッチ１５（図５参照）を有している。
【００３４】
このような静電塗装用エアスプレーガン１は、図１および図５に示すように、全体の動作を制御するマイクロコンピュータ等の制御部１１を有しており、制御部１１は、静電塗装用エアスプレーガンの種類を特定する種類情報を格納している記憶領域１１−２を有している。さらに、制御部１１は、静電塗装用エアスプレーガン１において、配線Ｌ２によるＲＳ−２３２Ｃ等のシリアル通信を実現する通信部１７が接続され、さらにエアラインのエア圧を検出する圧力センサ１６が接続される。また、静電塗装用エアスプレーガン１は、制御部２の配線Ｌ１から駆動信号が供給され荷電電極４２の昇圧を行う昇圧部１２と、ＩＣチップ６から車種情報を読み出すチップセンサ１８を有している。
【００３５】
次に、制御装置２を図１および図６を用いて、詳細に説明する。制御装置２は、全体の動作を制御する制御部２０と、それぞれ制御部２０に接続され、表示および操作を行う表示操作部２２と、操作情報を外部に出力する状態出力部２３と、コンプレッサー３および電空バルブ４と通信を行う通信部２４と、静電塗装用エアスプレーガン１の通信部とＲＳ−２３２Ｃ等のシリアル通信を行う通信部２５と、静電塗装用エアスプレーガン１の昇圧部１２に駆動信号を供給するべく制御部２０から制御信号が供給される送電部２６と、送電部２６の出力に接続されるヒューズ２１と、配線Ｌ１を介して静電塗装用エアスプレーガン１に接続され昇圧部１２からの戻り電流を検出する戻り電流検出部２８と、各部に電源を供給する電源部２９を有している。また、制御装置２は、静電塗装用エアスプレーガン１の電荷スイッチ１５が配線Ｌ３を介して制御部２０に接続されている。
【００３６】
また、制御装置２は、図６に示すように操作パネルにおいて、電源ランプ５１と、荷電ランプ５２と、エラーランプ５３と、電源スイッチ５４と、キーロック５５と、電流値表示部５６と、表示部５７と、操作スイッチ５８と、操作スイッチ５９と、操作スイッチ６０と、エンターキー６１と、モードランプ６２と、電圧表示ＬＥＤ６３と、設定値ＬＥＤ６４と、出力端子６５と、エア出力部６６と、エア入力部６７を有している。
【００３７】
このような構成を有する静電塗装システムは、図７に示すフローチャートに従って、電源投入時以降、以下のように動作処理を行う。なお、便宜上、制御装置２を先に説明するが制御装置２および静電塗装用エアスプレーガン１はそれぞれが自立的に平行して動作すると共に、通信機能によりセンサ等の検出値を共有し、各種操作情報や設定値の同期処理を行う。
【００３８】
すなわち、制御装置２において、制御部２０は、通信部２５を介して静電塗装用エアスプレーガン１の通信部１７と通信を行って、ガンの種類情報を認識する（Ｓ１１）。制御部２０は、認識したガンの種類情報に基づき、予め制御部２０の記憶領域に用意されている種類情報に対応した設定情報を読み出し、最適な制御のパラメータを設定し、これらを適宜表示部５７等に表示する（Ｓ１２）。制御部２０は、圧力センサ３０の出力および戻り電流検出部２８の出力等の検出部の出力を読み取る（Ｓ１３）。制御部２０は、通信部２５を介して静電塗装用エアスプレーガン１の通信部１７と通信を行い、各種のエア圧力等のセンサ情報や車体の車種情報を共有する（Ｓ１４）。制御部２０は、これらセンサ情報や車種情報に基づき、パラメータを設定して、電流値、電圧値、圧力値を決定して表示する（Ｓ１５）。すなわち、制御部２０は、先にガンの種類情報に基づき決定した制御のパラメータや、これらセンサ情報や車種情報に基づき、パラメータを設定し、コントロールパネル上の電流値表示部５６に電流値を、電圧表示ＬＥＤ６３に電圧値を夫々の値に見合う数のＬＥＤを点灯させることで表示する。同様に、制御部２０は、コントロールパネル上の電源ランプ５１に電源のオンオフを表示し、静電支援の有無を荷電ランプ５２に表示し、エラーの有無をエラーランプ５３に表示し、動作モードをモードランプ６２に表示する。また、制御部２０は、これら決定した電流値、電圧値、エアの圧力のための制御量等を送電部２６または通信部２４または通信部２５に出力することにより、静電塗装用エアスプレーガン１および制御装置２の間で電流値、電圧値等の表示を同期させる（Ｓ１６）。
【００３９】
また、制御部２０は、さらに操作情報を認識する（Ｓ１７）。そして、制御部２０は、静電塗装用エアスプレーガン１側および制御装置２側において、変更操作を認識すると、パラメータ、電流値、電圧値、圧力値等を再度決定して、静電塗装用エアスプレーガン１に送信する（Ｓ１９）と共に、ステップＳ１６に進んで以降の処理を繰り返す。また、制御部２０は、全ての作業が終了したと認識するまで、ステップＳ１３に戻り、同様の処理を反復する（Ｓ２０）。
【００４０】
また、制御部２０は、制御装置２における圧力センサ３０によりエア圧力を取得し、静電塗装用エアスプレーガン１の種類情報および静電塗装用エアスプレーガン１での圧力センサ１６によるエア圧力を通信部１７，２５を介して取得し、これらの値に基づいて制御信号を生成する。そして、制御部２０は、この制御信号を通信部２４を介してコンプレッサー３および電空バルブ４に供給してエア圧力を制御している。
【００４１】
一方、静電塗装用エアスプレーガン１においては、制御部１１は、制御部１１の記憶部１１−２に格納された静電塗装用エアスプレーガン１の種類情報を取得して、通信部１７および通信部２５を介して、制御部２０に送信する（Ｓ２１）。制御部１１は、チップセンサ１８を介して車両Ｃ上に設置されたＩＣチップ６から車種情報を、圧力センサ１６によりエアのエア圧等を検出する（Ｓ２２）。制御部１１は、制御装置２と通信部１７，２５を介しシリアル通信を行って、これらのセンサ情報を共有する（Ｓ２３）。さらに制御部１１は、制御装置２と通信部１７，２５を介しシリアル通信を行って、制御装置２が決定した電流値、電圧値、圧力値等を共有する（Ｓ２４）。制御部１１は、静電支援の際の表示すべき電流値、電圧値等の各種の情報を共有すると共に、ＩＣチップ６からの車種情報や制御装置２と同じ内容の電流値を電圧値用ＬＥＤ３３に、電圧値を電流値用ＬＥＤ３２に夫々の値に見合う数のＬＥＤを点灯させることで表示する（Ｓ２５）。または、ディスプレイ３５に直接表示することも好適である。さらに、制御部１１は、操作の変更や検出結果の変化を検出すると（Ｓ２６）、この変更や変化に応じて、制御信号や出力信号を通信部１７，２５を介して制御装置２の制御部２０に送信すると共に、表示部１３の表示素子に表示する（Ｓ２７）。また、制御部１１は、全ての作業が終了したと認識するまで、ステップＳ２２に戻り、同様の処理を反復する（Ｓ２８）。
【００４２】
このように、本発明の一実施形態に係る静電塗装システムは、静電塗装用エアスプレーガン１の制御部１１の記憶部１１−２にガン固有の種類情報を保有しており、この種類情報を制御装置２の制御部２０に送信することで、制御装置２において、そのガンの種類に最適な電圧値やエア圧等を自動的に設定することができる。同様に、ＩＣチップ６からの車種情報を制御装置２の制御部２０に送信することで、制御装置２において、その車種に最適な電圧値やエア圧等を自動的に設定することができると共に、操作に関する情報や助言をディスプレイ３５に表示することも可能となる。これにより、制御装置２の側からではなく静電塗装用エアスプレーガン１の側からの、静電荷の制御やエア制御が可能となる。また、ディスプレイ３５を操作機能をもったタッチパネル等にすることで、より直感的な操作を制御装置２からではなく静電塗装用エアスプレーガン１の側から行うことが可能となる。
【００４３】
以上記載した様々な実施形態は複数同時に実施することが可能であり、これらの記載により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【符号の説明】
【００４４】
１…エアスプレーガン、２…制御装置、３…コンプレッサー、４…電空バルブ、５…塗料容器、６…ＩＣチップ、７…エアチューブ、Ｃ…車体、１１…制御部、１１−２…記憶部、１２…昇圧部、１３…表示部、１４…操作スイッチ、１５…電荷スイッチ、１６…圧力センサ、１７…通信部、１８…チップセンサ、２０…制御部、２１…ヒューズ、２２…表示操作部、２３…状態出力部、２４…通信部、２５…通信部、２６…送電部、３０…圧力センサ、Ｐ…パネル部、３１…電荷ランプ、３２…電流値用ＬＥＤ、３３…電圧値用ＬＥＤ、３４…電荷設定、３５…ディスプレイ、４２…荷電電極、４３…トリガー、４５…エア取入口、４６…通信線接続部、４７…塗料取入口、４８…空気取入口、５１…電源ランプ、５２…荷電ランプ、５３…エラーランプ、５４…電源スイッチ、５５…キーロック、５６…電流値表示部、５７…表示部、５８…操作スイッチ、５９…操作スイッチ、６０…操作スイッチ、６１…エンターキー、６２…モードランプ、６３…電圧表示ＬＥＤ、６４…設定値ＬＥＤ、６５…出力端子、６６…エア出力部、６７…エア入力部。
【図１】
2014018712.tif 000003
【図２】
2014018712.tif 000004
【図３】
2014018712.tif 000005
【図４】
2014018712.tif 000006
【図５】
2014018712.tif 000007
【図６】
2014018712.tif 000008
【図７】
2014018712.tif 000009